(57)【特許請求の範囲】
【請求項１】
冷熱源から冷却媒体が供給される冷却コイルと空気温度調節用の電気ヒータを空調器内に備えていて前記冷却コイルにより冷却された空気が前記空気温度調節用の電気ヒータで所要の温度に調節され、かつ、前記冷熱源から冷却コイルへ冷却媒体を供給する送液管の途中に除霜用の電気ヒータを備える空気調和装置において、電源からブレーカを介して前記温度調節用および除霜用の各電気ヒータへ電力を供給する電力供給ラインの前記ブレーカよりも下流側に、通常運転時には温度調節用の電気ヒータ側へメークされているが、除霜運転時には除霜用の電気ヒータ側へメークされる切換スイッチを設け、温度調節用の電気ヒータと除霜用の電気ヒータへ択一的に電力が供給されるように構成してなる空気調和装置。
【発明の詳細な説明】
【０００１】
【発明の属する技術分野】
本発明は冷却コイルの除霜と、冷却後の空気温度の調節に電気ヒータを用いる空気調和装置に関する。
【０００２】
【従来の技術とその問題点】
例えばブライン方式や液ポンプ方式の冷却手段を備える空気調和装置には、冷熱源（ブラインタンクや低圧受液器）から冷却コイルへ冷却媒体（ブラインや液冷媒）を送る送液管の途中に除霜用の電気ヒータを備え、冷却コイルの除霜を行う際に前記除霜用の電気ヒータで冷却媒体を所要温度に加温し、加温された冷却媒体を冷却コイルへ送ることにより冷却コイルの除霜を行うものがある。
【０００３】
上述した空気調和装置では冷却コイルで冷却した後の空気を電気ヒータで加熱して所要の温度に調節するようにしたものがあり、このような従来の空気調和装置では除霜用の電気ヒータと温度調節用の電気ヒータにそれぞれ個別の電力供給ラインを接続してあって、各電力供給ラインに電気ヒータの容量に合わせたブレーカを設けてある。
【０００４】
したがって、両電気ヒータ用の受電容量は各ブレーカ容量の和となり、例えば除霜用の電気ヒータの容量が１００ｋｗ、温度調節用の電気ヒータの容量が２５０ｋｗであれば受電容量を３５０ｋｗとしなければならない。
【０００５】
ところで、電力料金のうちの基本料金は電力会社との契約受電容量により決まるので、受電容量が大であれば電力料金が嵩み、したがって空気調和装置のランニングコストが大となる。
【０００６】
【目的】
本発明の目的とするところは、電気ヒータ用電力の受電容量が少なくて済み、ランニングコストの低減を期せる空気調和装置を提供することにある。
【０００７】
【本発明の構成】
上記目的を達成するために、本発明に係る空気調和装置は、冷熱源から冷却媒体が供給される冷却コイルと空気温度調節用の電気ヒータを空調器内に備えていて前記冷却コイルにより冷却された空気が前記空気温度調節用の電気ヒータで所要の温度に調節され、かつ、前記冷熱源から冷却コイルへ冷却媒体を供給する送液管の途中に除霜用の電気ヒータを備える空気調和装置において、電源からブレーカを介して前記温度調節用および除霜用の各電気ヒータへ電力を供給する電力供給ラインの前記ブレーカよりも下流側に、通常運転時には温度調節用の電気ヒータ側へメークされているが、除霜運転時には除霜用の電気ヒータ側へメークされる切換スイッチを設け、温度調節用の電気ヒータと除霜用の電気ヒータへ択一的に電力が供給されるように構成したものとしてある。
【０００８】
【実施例】
以下、本発明に係る空気調和装置の実施例を添付図面に示す具体例に基づいて詳細に説明する。
図において符号１は冷熱源たるブラインタンク１を示し、同ブラインタンクには冷却装置２により所要の温度に冷却された冷却媒体たるブラインが蓄えられるようになっている。
【０００９】
ブラインタンク１に一端が接続された送液管３の他端はブラインポンプ４および除霜用電気ヒータ（以下除霜ヒータと称する）５を介して空調器６内の冷却コイル７の入口に接続され、同冷却コイル７の出口に一端が接続された返液管８の他端はブラインタンク１に接続されている。
【００１０】
前記空調器６内の冷却コイル７の下流側には空気温度調節用の電気ヒータ（以下温調用ヒータと称する）９が設けられていて、空調器６の空気出口に一端が接続された送気ダクト１０の他端が環境試験室等の被空調室１１の送気口に接続され、同被空調室１１の吸気口に一端が接続された吸気ダクト１２の他端が送風機１３を介して前記空調器６の空気入口に接続されている。
【００１１】
しかして本発明に係る空気調和装置においては前記除霜ヒータ５と温調ヒータ９への電力供給ラインを次ぎのように構成してある。
電源１４からの主電力ライン１５はブレーカ１６とサイリスタ１７をこの順に介して切換スイッチ１８に接続され、同切換スイッチ１８は主電力ライン１５を温調ヒータ９側の第１枝電力ライン１９または除霜ヒータ５側の第２電力ライン２０へ択一的に接続する選択スイッチとしてあって、空気調和装置の通常運転時は第１枝電力ライン１９側にメークされて温調ヒータ９へ電力を供給し、除霜運転時は第２枝電力ライン２０側にメークされて除霜ヒータ５へ電力を供給するようになっている。
【００１２】
なお、前記切換スイッチ１８の切換操作は手動で行うようにしてもよいが、冷却コイルの温度を温度センサで検知し、同温度に基づいて除霜指令を発する除霜制御回路からの除霜指令により切換スイッチを自動的に切り換えるようにするのが望ましく、また除霜タイマ等から発せられる除霜指令に基づいて自動的に切り換えるようにすることもできる。
【００１３】
次ぎに上述のように構成した本発明に係る空気調和装置の作用を説明する。
ブラインタンク１内のブラインはブラインポンプ４の駆動によって送液管３内を除霜ヒータ５を経て冷却コイル７に送られ、空調器６内の空気を冷却して返液管８によりブラインタンクに戻される。
【００１４】
一方、被空調室１１内の空気は送風機１３の駆動により吸気ダクト１２を経て空調器６内へ送られ、冷却コイル７、温調ヒータ９を経て送気ダクト１０により被空調室１１へ戻される。
【００１５】
しかして通常運転時には切換スイッチ１８は温調ヒータ９側にメークされていて、電源１４からの電力は主電力ライン１５によりブレーカ１６、サイリスタ１７、切換スイッチ１８を経て第１枝電力ライン１９により温調ヒータ９へ送られる。
【００１６】
したがって空調器６内において、冷却コイル７により冷却された空気は温調ヒータ９により所要の温度に調節されて被空調室１１へ送られる。
【００１７】
除霜運転時には切換スイッチ１８が除霜ヒータ５側にメークされ、電源１４からの電力は主電力ライン１５によりブレーカ１６、サイリスタ１７、切換スイッチ１８を経て第２枝電力ライン２０により除霜ヒータ５へ送られる。
【００１８】
したがって、ブラインタンク１からのブラインは送液管３の途中で除霜ヒータ５によって加温されて冷却コイル７へ送られ、冷却コイル７に付着した霜を融かし、返液管８によりブラインタンク１に送られる。
【００１９】
上述のように、電源１４からの電力は通常運転、除霜運転に拘らず１つのブレーカ１６を経ていずれかのヒータへ送られるので、ブレーカ１６の容量は温調ヒータ９か除霜ヒータ５のうち消費電力の大なる側に合わせて設定すればよい。
【００２０】
具体的には、例えば温調用ヒータ９の容量が２５０ｋｗ、除霜用ヒータ５の容量が１００ｋｗであればブレーカ１６の容量を２５０ｋｗとすればよい。
したがって、従来の装置に比して受電容量を格段に小なるものとすることができる。
【００２１】
上述した実施例においてはブラインタンク１から空調器６の冷却コイルへブラインを供給するブライン方式の空気調和装置の構成について説明したが、低圧受液器から液ポンプにより液冷媒を冷却コイルへ送る液ポンプ方式の空気調和装置にも適用することができ、この場合には除霜用ヒータを低圧受液器と冷却コイル間の送液管に設けるようにする。
【００２２】
【発明の効果】
本発明に係る空気調和装置によれば、温調用ヒータの電力供給ラインと除霜用ヒータの電力供給ラインへ択一的に電力を供給することができるようにしてあるので、両ヒータ用のブレーカは１個で事が足り、電気ヒータ用の受電容量を両ヒータのうち受電容量の大なる一方に合わせて設定することができる。
したがって、各ヒータにそれぞれ個別のブレーカを介して電力を供給していた従来のものに比して受電容量を格段に小なるものにすることができ、電力料金の削減が可能で、ランニングコストの低減を期すことができる。
【図面の簡単な説明】
【図１】本発明に係る空気調和装置の実施例を示す構成図。
【符号の説明】
１  ブラインタンク            ２  冷却装置
３  送液管                    ４  ブラインポンプ
５  除霜用の電気ヒータ        ６  空調器
７  冷却コイル                ８  返液管
９  空気温度調節用の電気ヒータ
１０  送気ダクト              １１  被空調室
１２  吸気ダクト              １３  送風機
１４  電源                    １５  主電力ライン
１６  ブレーカ                １７  サイリスタ
１８  切換スイッチ            １９  第１枝電力ライン
２０  第２枝電力ライン
【図１】
0004156101.tif 000002